(57)【要約】  【課題】複数枚の絞り羽根を同時に同じ方向へ回転させて絞り開口を小さくしたとき、絞り羽根が撓まされても、絞り開口を形成する基準面からの変位量を少なくすることができるようにしたカメラ用絞り装置を提供すること。  【解決手段】６枚の絞り羽根１４は、羽根軸１４ａを地板１１の羽根取付孔１１ｃに回転可能に嵌合させ、連結ピン１４ｂを絞り駆動リング１３のカム溝１３ａに挿入している。各絞り羽根１４は、羽根軸１４ａを設けている基端部から中央部まではフラットに形成されているが、先端部は、最先端に向けて地板１１側に緩く湾曲するように形成されているので、絞り羽根１４の各先端部は、絞り開口を小さくしていくと、最初は、全体として、絞り開口を形成する基準面よりも地板１１側に存在しているが、最小絞り開口の制御状態に近づくにつれ、基準面を越えて反対側に撓まされていくように構成されている。【選択図】  図７
2009162924.tif 000002
【特許請求の範囲】
【請求項１】
各々が光軸を中心にした円形の開口部を有していて両者の間に羽根室を構成している地板及びカバー板と、光軸を中心にして略等角度間隔に形成された複数のカム溝を有していて前記羽根室内に配置されており駆動手段によって光軸を中心にして往復回転させられる絞り駆動リングと、各々が前記カム溝に挿入させた連結ピンを有していて光軸を中心にした略等角度間隔位置で前記地板の羽根室側の面に回転可能に取り付けられており協働して絞り開口を形成する複数枚の絞り羽根と、を備えていて、前記複数枚の絞り羽根は、いずれも、前記地板と前記絞り駆動リングとの間において、隣接する２枚の絞り羽根の間となるように重ねられており、その先端部が、最先端に向かうにしたがって前記地板側に緩やかに湾曲しているように形成されていて、絞り開口が小さくなるにつれ、前記地板側に隣接している絞り羽根に押され、前記カバー板側に撓まされるようにしたことを特徴とするカメラ用絞り装置。
【請求項２】
前記複数枚の絞り羽根は、いずれも、その先端部が、最先端に向かうにしたがって前記カバー板側に緩やかに湾曲しているように形成されていて、絞り開口が小さくなるにつれ、前記カバー地板側に隣接している絞り羽根に押され、前記地板側に撓まされるようにしたことを特徴とする請求項１に記載のカメラ用絞り装置。
【請求項３】
前記複数枚の絞り羽根は、いずれも、前記カバー板と前記絞り駆動リングとの間において、隣接する２枚の絞り羽根の間となるように重ねられており、その先端部が、最先端に向かうにしたがって前記地板側に緩やかに湾曲しているように形成されていて、絞り開口が小さくなるにつれ、前記地板側に隣接している絞り羽根に押され、前記カバー板側に撓まされるようにしたことを特徴とする請求項１に記載のカメラ用絞り装置。
【請求項４】
前記複数枚の絞り羽根は、いずれも、それらの先端部が、最先端に向かうにしたがって前記カバー板側に緩やかに湾曲しているように形成されていて、絞り開口が小さくなるにつれ、前記カバー板側に隣接している絞り羽根に押され、前記地板側に撓まされるようにしたことを特徴とする請求項３に記載のカメラ用絞り装置。
【発明の詳細な説明】
【技術分野】
【０００１】
本発明は、複数枚の絞り羽根が、絞り駆動リングによって同時に同じ方向へ往復回転させられ、協働して形成している絞り開口の大きさを変化させるようにしたカメラ用絞り装置に関する。
【背景技術】
【０００２】
複数枚の絞り羽根が絞り駆動リングによって同時に同じ方向へ回転させられることにより、協働して絞り開口の大きさを変化させるようにしたカメラ用絞り装置が、古くから知られている。この種の絞り装置の各絞り羽根は、地板とカバー板（補助地板という場合もある）との間に構成された羽根室内において、地板に対して回転可能に取り付けられており、それらに設けられている連結ピンを、絞り駆動リングに形成されたカム溝に嵌合させているのが普通である。また、絞り駆動リングの方は、通常、地板の羽根室側の面に光軸を中心にして環状に形成された凹部内に配置されており、往復回転することによってカム溝が絞り羽根を往復回転させるように構成されている。そして、その往復回転は手動で行われる場合と、電動で行われる場合とがあるが、最近では、ステップモータで行うように構成されたものが圧倒的に多い。また、絞り羽根と絞り駆動リングとの重なり配置関係は、下記の特許文献１に記載されているように、絞り羽根が、絞り駆動リングと地板との間に配置されることもあるし、下記の特許文献２に記載されているように、絞り駆動リングとカバー板との間に配置されることもある。
【０００３】
ところで、この種の絞り装置の場合には、各絞り羽根は、全体的に細長い形状をしていて、一方の端部（以下、基端部という）の近傍位置で地板に対して回転可能に取り付けられている。そして、露光開口を全開にしている位置（最大絞り開口制御位置）から絞り開口を小さくしていくときには、回転させられることによって露光開口に進入し、他端側の部位（以下、先端部という）を光軸中心に近づけていくようになっている。ところが、各絞り羽根は、露光開口に進入させられていくと、それらの先端部が、隣接している絞り羽根の先端部と相互に支え合っているだけの状態になっていくので、露光開口に進入させられていくにしたがって姿勢が不安定になり、基準の作動面（絞り開口形成面）上から逸脱し、光軸と平行な方向へ傾きやすくなってしまう。そのため、同一平面上で絞り開口を適正に変化させることができなくなってしまうほか、先端部同士が離れてしまったりするようになる。そして、そのような現象は、露光開口（最大絞り開口）の直径が大きい絞り装置ほど顕著になる。
【０００４】
そこで、俗に、編み込み方式といわれている、絞り羽根の組み付け方が知られている。この組み付け方は、全ての絞り羽根が、隣接する２枚の絞り羽根の間にあって、それらの先端部が、地板側とカバー板側のいずれか一方からは目視できるが、他方からは目視できないような状態に組み付けるものである。この方式を採用すると、先端部同士が絡み合って支え合うようになるため、複数枚の絞り羽根を単純に重ねていくようにして組み付けた場合よりも、上記のような絞り羽根の大きな傾きが解消される。しかしながら、この方式を採用した場合には、絞り開口を小さくしていくと、それらの先端部が相互に強制的に撓まされて、絞り開口を形成する基準面から、その基準面とは直交する方向へ盛り上がっていくようになってしまう。そのため、この方式を採用した絞り装置の場合には、絞り開口を小さくしていくと、絞り羽根同士の軋みが大きくなってゆき、やがて、絞り羽根を回転させることができなくなり、それ以上の小さい絞り開口を形成することができなくなる。特許文献１，２に記載されている絞り装置は、そのような方式を採用した絞り装置であるが、本発明は、この種のカメラ用絞り装置に関するものである。
【０００５】
【特許文献１】特開２００５−２８４１０２号公報
【特許文献１】特開２００３−５７７１５号公報
【発明の開示】
【発明が解決しようとする課題】
【０００６】
周知のように、カメラ用絞り装置は、カメラ内においては、撮影レンズに近接して配置される。そのため、絞り装置が上記の編み込み方式を採用したものである場合は、絞り装置の両側に撮影レンズが極めて近接して配置されていると、絞り開口を小さくして、絞り羽根の先端部が盛り上がっていったとき、その盛り上がり方向が地板側であってもカバー板側であっても、いずれか一方側の撮影レンズを、絞り羽根の最先端によって傷付けてしまうことになる。そのため、絞り開口を小さくしていっても、絞り開口を形成する基準面からの絞り羽根の先端部の盛り上がり量を極力少なくすることが要求されている。また、絞り装置を製作する立場からは、絞り羽根の撓みによる変位量が絞り開口を形成する基準面からいずれの側に対しても少なくなるようにして、絞り装置の両側に撮影レンズが近接して配置されるようにしたカメラに対しても、また、絞り装置の地板側にだけ撮影レンズが近接して配置されるようにしたカメラに対しても、さらには、絞り装置のカバー板側にだけ撮影レンズが近接して配置されるようにしたカメラに対しても、採用することの可能な絞り装置の得られることが望まれる。
【０００７】
本発明は、このような問題点を解決するためになされたものであり、その目的とするところは、光軸を中心にして往復回転する絞り駆動リングが、いわゆる編み込み方式で組み付けられている複数枚の絞り羽根を同時に同じ方向へ回転させて絞り開口の大きさを変化させるようにした絞り装置において、絞り開口の制御によって撓まされ、各絞り羽根の最先端が変位させられるとき、該最先端が、絞り開口を形成する基準面の両側にわたる範囲内で変位するようにしたカメラ用絞り装置を提供することである。
【課題を解決するための手段】
【０００８】
上記の目的を達成するために、本発明のカメラ用絞り装置は、各々が光軸を中心にした円形の開口部を有していて両者の間に羽根室を構成している地板及びカバー板と、光軸を中心にして略等角度間隔に形成された複数のカム溝を有していて前記羽根室内に配置されており駆動手段によって光軸を中心にして往復回転させられる絞り駆動リングと、各々が前記カム溝に挿入させた連結ピンを有していて光軸を中心にした略等角度間隔位置で前記地板の羽根室側の面に回転可能に取り付けられており協働して絞り開口を形成する複数枚の絞り羽根と、を備えていて、前記複数枚の絞り羽根は、いずれも、前記地板と前記絞り駆動リングとの間において、隣接する２枚の絞り羽根の間となるように重ねられており、その先端部が、最先端に向かうにしたがって前記地板側に緩やかに湾曲しているように形成されていて、絞り開口が小さくなるにつれ、前記地板側に隣接している絞り羽根に押され、前記カバー板側に撓まされるようにする。その場合、前記複数枚の絞り羽根は、いずれも、その先端部が、最先端に向かうにしたがって前記カバー板側に緩やかに湾曲しているように形成されていて、絞り開口が小さくなるにつれ、前記カバー地板側に隣接している絞り羽根に押され、前記地板側に撓まされるようにしてもよい。
【０００９】
また、本発明は、上記のカメラ用絞り装置において、前記複数枚の絞り羽根は、いずれも、前記カバー板と前記絞り駆動リングとの間において、隣接する２枚の絞り羽根の間となるように重ねられており、その先端部が、最先端に向かうにしたがって前記地板側に緩やかに湾曲しているように形成されていて、絞り開口が小さくなるにつれ、前記地板側に隣接している絞り羽根に押され、前記カバー板側に撓まされるようにしてもよい。その場合、前記複数枚の絞り羽根は、いずれも、それらの先端部が、最先端に向かうにしたがって前記カバー板側に緩やかに湾曲しているように形成されていて、絞り開口が小さくなるにつれ、前記カバー板側に隣接している絞り羽根に押され、前記地板側に撓まされるようにしてもよい。
【発明の効果】
【００１０】
本発明は、光軸を中心にして往復回転する絞り駆動リングが、いわゆる編み込み方式で組み付けられている複数枚の絞り羽根を、同時に同じ方向へ回転させて絞り開口の大きさを変化させるようにしたカメラ用絞り装置において、複数枚の絞り羽根は、予め、それらの先端部が、最先端に向かうにしたがい、共に地板側又はカバー板側に緩やかに湾曲しているように形成されていて、絞り開口を小さくしていくと、その先端部が反対側に湾曲するまで撓まされていくようにしたため、各絞り羽根の最先端の変位量が、絞り開口を形成する基準面から両側に振り分けられることになる。そのため、前記の基準面からの変位量としては従来よりも少なくなり、撮影レンズを絞り装置のいずれの側に近接配置しても、撮影レンズを傷付けてしまうことがないという効果がある。
【発明を実施するための最良の形態】
【００１１】
本発明の実施の形態を、図示した三つの実施例によって説明する。本発明のカメラ用絞り装置は、単体の絞り装置として構成することも、シャッタ装置と共にユニット化した絞り装置として構成することも可能であるが、各実施例は、単体の絞り装置として構成したものである。そして、図１〜図５は、実施例１を説明するためのものであり、図６及び図７は、実施例２を説明するためのものであり、図８及び図９は、実施例３を説明するためのものである。
【実施例１】
【００１２】
最初に、図１〜図５を用いて実施例１を説明するが、図１は、最大絞り開口の制御状態を示した平面図であり、図２は、最大絞り開口からの絞り込み途中の状態を示した平面図であり、図３は、最小絞り開口の制御状態を示した平面図である。また、図４は、本実施例１の絞り羽根を断面で示した単品図であり、図５は、図３の要部断面図である。そこで先ず、本実施例の構成を説明する。本実施例のカメラ用絞り装置は、地板１とカバー板２との間に羽根室を構成している。カバー板２は、適宜な手段によって地板１に取り付けられており、地板１とは略同じ外形形状をしているが、図１においては、羽根室内の構成を分かり易くするために、その一部だけが示されていて、図２及び図３では省略されている。本実施例の地板１は、合成樹脂製であり、その中央部に光軸を中心にした円形の開口部１ａを形成している。また、カバー板２も合成樹脂製であって、その中央部には、上記の開口部１ａと同じ直径の開口部２ａを、光軸を中心にして形成している。そのため、本実施例の場合には、開口部１ａ，２ａが露光開口（最大絞り口径）を規制していることになる。
【００１３】
地板１の羽根室側の面には、開口部１ａを囲むようにして凹部１ｂが形成されていて、その凹部１ｂの底面、即ち地板の羽根室側の面には、光軸を中心にした略等角度間隔位置に七つの羽根取付孔１ｃが形成されているが、図１〜図３においては、それらの一つだけに符号を付けてある。また、凹部１ｂには、図１の下方へ広げて形成された領域の底面に、光軸を中心にした円弧状の突条１ｄが形成されている。更に、凹部１ｂには、外周の縁に、互いに類似な形状をした合計八つのガイド部１ｅが形成されているが、図１〜図３においては、それらの一つだけに符号を付けてある。そして、地板１には、上記の突条１ｄの両端から若干離れたところに、夫々ストッパ部１ｆ，１ｇが形成されている。
【００１４】
上記の凹部１ｂ内には、７枚の絞り羽根３が配置されているが、それらは全て同じ形状をしているため、図１〜図３においては、それらのうちの１枚だけに符号を付けてある。そして、それらの絞り羽根３は、地板１側に羽根軸３ａを有し、カバー板２側に連結ピン３ｂを有していて、その羽根軸３ａを上記の羽根取付孔１ｃに回転可能に嵌合させている。また、本実施例においては、７枚の絞り羽根３が、いわゆる編み込み式といわれている方法で組み付けられている。即ち、図２及び図３を見れば分かるように、全ての絞り羽根３は、隣接している２枚の絞り羽根３の間にあり、本実施例の場合には、その先端部が、隣接している地板１側の絞り羽根３に対して、カバー板２側で接触しているようにして重ねられている。そのため、図２及び図３においては、それらの最先端が見えているが、図面の裏側（地板１の外側）から見た場合には、それらの最先端を一つも見ることができないようになっている。
【００１５】
ところで、本実施例の絞り羽根３は、通常の絞り羽根とは明らかに異なる形状をしている。絞り羽根は、平面形状は種々異なることがあっても、古くから一貫してフラットな形状に製作されてきた。しかしながら、本実施例の絞り羽根３は、７枚とも、フラットな形状ではなく、一部が湾曲した形状に形成されている。図４は、そのように製作された絞り羽根３の１枚を示したものであるが、この図面から分かるように、本実施例の絞り羽根３は、その基端部から中央部にかけては、従来のようにフラットに形成されているが、先端部は、最先端に向かうにしたがって緩やかに湾曲した形状となるように製作されている。そして、本実施例の場合には、７枚の絞り羽根３は、いずれも、先端部が地板１側に湾曲しているような姿勢にして組み付けられている。そこで、図１〜図３においては、各絞り羽根３のフラット面と湾曲面との境界線を符号３ｃで示してある。
【００１６】
また、上記の凹部１ｂ内には、絞り羽根３よりもカバー板２側に絞り駆動リング４が配置されていて、外周面を上記の八つのガイド部１ｅに接触させ、光軸を中心にして往復回転させられるようになっている。この絞り駆動リング４は、光軸を中心にして略等角度間隔に、長孔形状をした七つのカム溝４ａを形成していて、上記の連結ピン３ｂを個々に挿入させている。また、この絞り駆動リング４は、外周部の一部に、歯部４ｂと張出部４ｃを有していて、張出部４ｃは、上記の突条１ｄに摺接するようになっている。そして、この絞り駆動リング４は、カバー板２に設けられた図示していない部位によって、凹部１ｂから抜け出すのを防止されている。
【００１７】
本実施例においては、このような絞り駆動リング４が、ステップモータによって、所定の回転角度範囲内で往復回転させられるようになっている。そして、そのステップモータは、羽根室外において地板１に取り付けられているが、その構成は本発明とは直接関係がないので、図１〜図３においては、永久磁石製の回転子５と、羽根室側に貫通された出力軸５ａだけが示されている。また、回転子５の出力軸５ａには、歯車６が取り付けられており、地板１に立設された軸１ｈには、親子歯車（２段歯車）７が回転可能に取り付けられている。そして、その親子歯車７は、親歯車が歯車６に噛合し、子歯車が絞り駆動リング４の歯部４ｂに噛合している。尚、本実施例の絞り駆動リング４は、ステップモータによって往復回転させられるように構成されているが、本発明の絞り駆動リングは、手動で往復回転させられるようにしてもよい。
【００１８】
次に、本実施例の作動を説明する。図１は、７枚の絞り羽根３が開口部１ａを全開にしている状態、即ち最大絞り開口の制御状態を示したものであり、被写体光が、所定の明るさよりも暗い場合には、このまま撮影が行われる。しかしながら、被写体光が、所定の明るさよりも明るい場合には、ステップモータの回転子５が時計方向へ回転させられる。それにより、絞り駆動リング４が、歯車６と親子歯車７を介して時計方向へ回転させられるので、７枚の絞り羽根３は、それらの連結ピン３ｂがカム溝４ａに押されることにより、同時に反時計方向へ回転させられて開口部１ａ内に進入し、それらの協働によって絞り開口を小さくしていく。
【００１９】
そして、本実施例の絞り装置が、スチルカメラに採用されている場合には、所定の絞り開口が得られたところで回転子５が停止し、撮影が行われることになるし、ムービーカメラに採用されている場合には、被写体光の変化に対応して、回転子５が時計方向へ回転させられたり反時計方向へ回転させられたりして、常に適正な露光条件での撮影が行われるように絞り開口を変化させることになる。図２は、７枚の絞り羽根３が、最大絞り開口と最小絞り開口との途中であって、かなり最小絞り開口制御状態に近づいた状態を示したものであるが、この状態のときには、編み込み方式特有の現象は殆ど現れていない。
【００２０】
従って、この状態のときは、上記したように、各絞り羽根３は、予めそれらの先端部が地板１側に緩やかに湾曲するように形成されているので、各々の最先端には、地板１側で隣接している絞り羽根３を地板１側に押す力が作用しており、逆に、カバー板２側で隣接している絞り羽根３をカバー板２側に押す力が作用している。ところが、各絞り羽根３は、先端部以外がフラットに製作されていて、基本的には、そのフラットな部位が、絞り開口を形成する基準面と略同じになるようにして組み付けられているため、それらの先端部は、全体としては、その基準面よりも若干地板１側に存在している状態になっている。しかしながら、基準面からの先端部の変位量がその程度のものであれば、地板１側の近接位置に撮影レンズが配置されても、絞り羽根３がレンズ面に接触してしまうようなことはない。
【００２１】
絞り駆動リング４が、この図２の状態からさらに時計方向へ回転させられていくと、編み込み方式特有の現象が現れてきて、各絞り羽根３はカバー板２側（図２の手前側）に撓まされ、それらの先端が盛り上がっていく。ところが、本実施例の場合には、従来のように、先端部が絞り開口を形成する基準面から撓まされていくのではなく、その基準面よりも地板１側からカバー板２側へ撓まされていくことになるので、基準面からカバー板２側への変位量は、従来の場合よりも少なくなる。そして、張出部４ｃがストッパ部１ｇに当接することによって、絞り駆動リング４の時計方向の回転が停止させられた状態、即ち最小絞り開口の制御状態が図３及び図５に示された状態である。図５に示されているように、このとき、絞り羽根３の先端部は、反対側に湾曲された状態になっているが、基準面からの最先端の変位量は従来よりも少ないので、カバー板２側の近接位置に撮影レンズが配置されても、絞り羽根３がレンズ面に接触してしまうようなことはない。尚、本実施例の場合には、絞り羽根３とカバー板２の間に絞り駆動リング４が存在するので、基準面までの変位量と基準面からの変位量を同じにせず、基準面からカバー板２側への変位量が大きくなるようにしても構わない。
【００２２】
このような状態で撮影が終了すると、回転子５は、反時計方向へ回転させられ、絞り駆動リング４を反時計方向へ回転させる。それによって、７枚の絞り羽根３は、それらの連結ピン３ｂが絞り駆動リング４のカム溝４ａに押されることによって、時計方向へ回転させられる。そして、それらの回転は、絞り駆動リング４の張出部４ｃがストッパ部１ｆに当接することによって停止させられる。その状態が図１に示された状態である。尚、本実施例の場合には、図１が撮影開始前の状態であることにして説明したが、カメラの仕様によっては、例えば、図２や図３に示された状態などを撮影開始前の状態にすることもある。
【００２３】
尚、本実施例の場合には、７枚の絞り羽根３は、先端部が、地板１側に隣接している絞り羽根３と常に接触しているようにして組み付けられていて、先端部の形状が、最先端に向かうにしたがって地板１側に緩く湾曲しているように形成されているが、本発明は、７枚の絞り羽根３を、それらの先端部が、カバー板２側に隣接している絞り羽根３と常に接触しているようにして組み付けられ（この場合には、各絞り羽根３の最先端は、地板１側からだけ目視できるようになる）、先端部の形状が、最先端に向かうにしたがってカバー板２側に緩く湾曲しているように形成されている構成にしてもよい。
【実施例２】
【００２４】
次に、図６及び図７を用いて実施例２を説明するが、図６は、最大絞り開口の制御状態を示した平面図であり、図７は、最小絞り開口の制御状態を示した平面図である。そこで先ず、本実施例の構成を説明する。地板１１との間に羽根室を構成しているカバー板１２は、地板１１とは略同じ外形形状をしていて、適宜な手段によって地板１１に取り付けられているが、図６においてはその一部だけが示され、図７においては図示を省略されている。本実施例の地板１１とカバー板１２は、合成樹脂製であり、それらの中央部に光軸を中心にした同じ直径の開口部１１ａ，１２ａを有している。そのため、本実施例の場合にも、開口部１１ａ，１２ａが露光開口（最大絞り口径）を規制していることになる。
【００２５】
地板１１の羽根室側の面には、開口部１１ａを囲むようにして凹部１１ｂが形成されている。そして、その凹部１１ｂを囲む環状の面には、光軸を中心にした略等角度間隔位置に六つの羽根取付孔１１ｃが形成されているが、それらについては、一つにだけ符号を付けてある。また、凹部１１ｂの内部には、絞り駆動リング１３が、光軸を中心にして往復回転可能に配置されている。この絞り駆動リング１３は、光軸を中心にして略等角度間隔に、六つのカム溝１３ａを形成しており、外周部には、歯部１３ｂと三つの切欠き１３ｃを形成しているが、それらのカム溝１３ａと切欠き１３ｃに対しては、夫々一つにだけに符号を付けてある。
【００２６】
そして、この絞り駆動リング１３は、三つの切欠き１３ｃの位置を、地板１１に形成されている三つのフック部１１ｄ（符号は、一つにだけ付けてある）の位置に合わせておいて、凹部１１ｂ内に落とし込まれ、その後、時計方向へ回転させることによって、図６の位置を占めるようにされている。このように、本実施例の場合には、絞り駆動リング１３が凹部１１ｂから抜け出すのを、三つのフック部１１ｄによって防止するようにしているが、それは、本実施例の場合には、絞り駆動リング１３とカバー板１２の間に後述の絞り羽根１４が配置され、実施例１のように、カバー板１２によって防止するようにすることができないからである。
【００２７】
本実施例の場合は、上記の絞り駆動リング１３とカバー板１２との間に６枚の絞り羽根１４が配置されているが、それらのうちの１枚にだけ符号を付けてある。本実施例の絞り羽根１４は、実施例１の場合とは異なり、羽根軸１４ａと連結ピン１４ｂの両方が、地板１１側となる方の面に設けられていて、その羽根軸１４ａを上記の羽根取付孔１１ｃに回転可能に嵌合させ、連結ピン１４ｂを上記のカム溝１３ａに挿入している。そして、それらの羽根軸１４ａと連結ピン１４ｂの符号も、符号を付けてある１枚の絞り羽根１４に対してだけ付けてある。また、本実施例の場合にも、６枚の絞り羽根１４は、編み込み式で組み付けられている。即ち、図６及び図７を見れば分かるように、全ての絞り羽根１４は、隣接している２枚の絞り羽根１４の間にあり、それらの先端部が、隣接している地板１１側の絞り羽根１４に対して、カバー板１２側で接触しているようにして重ねられている。そのため、図７の状態のときは、それらの最先端を全て目視することができるが、図７の裏側（地板１１の外側）から見た場合には、それらの最先端は全く目視できないようになっている。
【００２８】
このように、本実施例の絞り羽根１４は、実施例１の絞り羽根３とは、平面形状も異なるし、羽根軸１４ａと連結ピン１４ｂとを同一面側に設けている点でも異なっている。しかしながら、図４のような単品図で示してはいないものの、本実施例の６枚の絞り羽根１４の場合にも、実施例１の７枚の絞り羽根３と同じように、その基端部から中央部にかけては、従来のようにフラットに形成されているが、先端部は、最先端に向かうにしたがって、地板１１側に緩やかに湾曲していく形状に製作されている。そのため、図６及び図７においては、そのフラット面と湾曲面との境界線を符号１４ｃで示してある。
【００２９】
次に、本実施例の場合にも、絞り駆動リング１３は、ステップモータによって往復回転させられるようになっている。そして、そのステップモータは、具体的な構成の全てを明示していないが、特許文献１に記載されている周知のステップモータの構成と実質的に同じであり、永久磁石製の回転子１５は、一体化されている合成樹脂製の歯車１６を有していて、地板１１に立設されている軸１１ｅに回転可能に取り付けられている。また、地板１１に立設されている軸１１ｆには、親子歯車（２段歯車）１７が回転可能に取り付けられており、親歯車は歯車１６に噛合し、子歯車は絞り駆動リング１３の歯部１３ｂに噛合している。
【００３０】
次に、本実施例の作動を説明する。本実施例の場合は、実施例１の絞り羽根３の場合と異なり、６枚の絞り羽根１４が、カバー板１２と絞り駆動リング１３との間に配置されているが、絞り羽根１４と絞り駆動リング１３との連動関係は、実施例１の場合と実質的に同じである。また、それ以外の構成については、本発明の観点からは、違いがあるとはいえない程度の違いである。従って、本実施例の作動は、実施例１の場合と殆ど同様にして行われるものであるため、重複する点は簡単に説明することにする。図６は、６枚の絞り羽根１４が開口部１１ａを全開にしている状態、即ち最大絞り開口の制御状態を示したものである。そして、撮影に際して、被写体光が、所定の明るさよりも明るい場合には、ステップモータの回転子１５が反時計方向へ回転させられ、歯車１６と親子歯車１７を介して、絞り駆動リング１３を反時計方向へ回転させる。そのため、６枚の絞り羽根１４は、同時に時計方向へ回転させられて開口部１１ａ内に進入し、絞り開口を小さくしていく。
【００３１】
しかしながら、絞り開口が比較的大きい段階では、編み込み方式特有の現象は殆ど現れてない。そのため、そのような段階では、各々の最先端が、地板１１側で隣接している絞り羽根１４を地板１１側に押しており、逆に、地板１１側で隣接している絞り羽根１４によって最先端をカバー板１２側へ押されていることになる。ところが、各絞り羽根１４は、先端部以外がフラットに製作されているため、それらの先端部は、全体としては、絞り開口を形成する基準面よりも若干地板１１側に存在した状態になっている。しかしながら、絞り羽根１４の地板１１側には、絞り駆動リング１３が配置されているので、地板１１側の近接位置に撮影レンズが配置されても、絞り羽根１４がレンズ面に接触してしまうようなことはない。
【００３２】
このような状態から、絞り駆動リング１３をさらに反時計方向へ回転させ、最小絞り開口の制御状態に近づいていくと、編み込み方式特有の現象が現れてきて、各絞り羽根１４の先端部はカバー板１２側に撓まされ、それらの先端が上記の基準面を越えて、カバー板１２側（図６の手前側）に盛り上がっていく。しかしながら、本実施例の場合には、その基準面よりも地板１１側から撓まされていくので、最小絞り開口の制御状態になったときの基準面からの変位量は、従来の構成の場合よりも少なくなる。図７は、そのような最小絞り開口の制御状態を示したものであるが、この図７から分かるように、このような最小絞り開口の制御状態になっても、絞り駆動リング１３の切欠き１３ｃは、フック部１１ｄの位置までは達しないので、作動中に、絞り駆動リング１３が凹部１１ｂから絞り羽根１４側に移動してしまうようなことはない。
【００３３】
このように、本実施例の場合には、最小絞り開口制御状態のときに、絞り羽根１４の最先端が絞り開口を形成する基準面からカバー板１２側へ変位している量が、従来よりも少なくなる。そのため、カバー板１２側の近接位置に撮影レンズが配置されても、絞り羽根１４がレンズ面に接触してしまうようなことがない。また、本実施例の場合には、絞り装置だけをユニット化したものであるが、このような絞り装置を、シャッタ装置と共に一つのユニットとして構成する場合がある。その場合には、カバー板１２と絞り羽根１４の間に中間板を配置し、その中間板とカバー板１２との間をシャッタ羽根の羽根室にするのが一般的であるが、そのような構成にした場合には、従来のように、絞り羽根１４の最先端の変位量が大きいと、作動上、シャッタ羽根と干渉してしまうので採用することが困難であったが、本実施例の構成であれば、そのようなユニットに採用することも可能になる。
【００３４】
このようにして絞り開口が制御され、撮影が終了すると、回転子１５は、時計方向へ回転させられ、絞り駆動リング１３を時計方向へ回転させる。それによって、６枚の絞り羽根１４は、それらの連結ピン１４ｂを絞り駆動リング１３のカム溝１３ａに押され、反時計方向へ回転させられる。そして、それらの回転は、開口部１１ａを全開にした後、回転子１５の回転が停止することによって停止する。その状態が図６に示された状態である。
【実施例３】
【００３５】
次に、図８及び図９を用いて実施例３を説明するが、図８は、最大絞り開口の制御状態を示した平面図であり、図９は、最小絞り開口の制御状態を示した平面図である。そこで、本実施例の構成を説明するが、本実施例を構成している各部材の形状は、実施例２の場合と全く同じである。そのため、図８及び図９に示されている部材と部位には、図６及び図７の場合と全く同じ符号を付けてあるので、それらについての説明を省略する。本実施例の構成が、上記の実施例２の構成と異なる点は、地板１１に対する６枚の絞り羽根１４の組み付け方が異なることである。即ち、本実施例の場合にも、６枚の絞り羽根１４は、編み込み式で組み付けられているが、その編み込み方向が逆になっていることである。
【００３６】
図８及び図９に示されているように、本実施例の場合にも、絞り羽根１４は、実施例２の場合と同様に、その羽根軸１４ａを地板１１の羽根取付孔１１ｃに回転可能に嵌合させ、連結ピン１４ｂを絞り駆動リング１３のカム溝１３ａに挿入している。そして、本実施例の場合にも、編み込み式であるため、全ての絞り羽根１４は、隣接している２枚の絞り羽根１４の間にあるが、本実施例の場合には、図８の状態において、それらの先端部が、隣接しているカバー板１２側の絞り羽根１４に対してだけ接触しているように重ねられている。そのため、図９の状態になってもそれらの最先端を目視することが全くできず、図９の裏側（地板１１の外側）から見たときに、それらの最先端を全て目視できるようになっている。
【００３７】
次に、本実施例の作動を説明するが、実施例２の場合と重複するところは、極力簡単にして説明することにする。撮影に際して、被写体光が、所定の明るさよりも明るい場合には、図８の状態において、回転子１５が反時計方向へ回転させられ、絞り駆動リング１３を反時計方向へ回転させる。そのため、６枚の絞り羽根１４は、同時に時計方向へ回転させられて開口部１１ａ内に進入し、絞り開口を小さくしていく。そして、絞り開口が比較的大きい段階では、各々の最先端が、カバー板１２側で隣接している絞り羽根１４をカバー板１２側に押しており、逆に、カバー板１２側で隣接している絞り羽根１４によって最先端を地板１１側へ押されていることになる。ところが、各絞り羽根１４は、先端部以外がフラットに製作されているため、それらの先端部は、全体としては、絞り開口を形成する基準面よりも若干カバー板１２側に存在した状態になっている。しかしながら、カバー板１２側の近接位置に撮影レンズが配置されても、絞り羽根１４がレンズ面に接触してしまうことはない。
【００３８】
この状態から、絞り駆動リング１３をさらに反時計方向へ回転させ、最小絞り開口の制御状態に近づいていくと、編み込み方式特有の現象が現れてきて、各絞り羽根１４の先端部は地板１１側（図８の裏面側）に撓まされ、それらの先端が、絞り開口を形成する基準面を越えて、地板１１側に盛り上がっていく。しかしながら、本実施例の場合には、その基準面よりもカバー板１２側から撓まされていくので、最小絞り開口の制御状態になったときの基準面からの変位量は、従来の構成の場合よりも少なくなる。そのため、地板１１側の近接位置に撮影レンズが配置されても、絞り羽根１４がレンズ面に接触してしまうようなことがない。図９は、そのような最小絞り開口の制御状態を示したものである。その後、撮影が終了すると、回転子１５は、時計方向へ回転させられ、絞り駆動リング１３を時計方向へ回転させる。そのため、６枚の絞り羽根１４は、反時計方向へ回転させられ、開口部１１ａを全開にした後、回転子１５の回転が停止することによって停止する。その状態が図８に示された状態である。
【図面の簡単な説明】
【００３９】
【図１】最大の絞り開口の制御状態を示した実施例１の平面図である。
【図２】絞り込み途中の状態を示した実施例１の平面図である。
【図３】最小の絞り開口の制御状態を示した実施例１の平面図である。
【図４】実施例１における絞り羽根を断面で示した単品図である。
【図５】図３の要部断面図である。
【図６】最大の絞り開口の制御状態を示した実施例２の平面図である。
【図７】最小の絞り開口の制御状態を示した実施例２の平面図である。
【図８】最大の絞り開口の制御状態を示した実施例３の平面図である。
【図９】最小の絞り開口の制御状態を示した実施例３の平面図である。
【符号の説明】
【００４０】
１，１１                      地板
１ａ，２ａ，１１ａ，１２ａ    開口部
１ｂ，１１ｂ                  凹部
１ｃ，１１ｃ                  羽根取付孔
１ｄ                          突条
１ｅ                          ガイド部
１ｆ，１ｇ                    ストッパ部
１ｈ，１１ｅ，１１ｆ          軸
２，１２                      カバー板
３，１４                      絞り羽根
３ａ，１４ａ                  羽根軸
３ｂ，１４ｂ                  連結ピン
３ｃ，１４ｃ                  境界線
４，１３                      絞り駆動リング
４ａ，１３ａ                  カム溝
４ｂ，１３ｂ                  歯部
４ｃ                          張出部
５，１５                      回転子
５ａ                          出力軸
６，１６                      歯車
７，１７                      親子歯車
１１ｄ                        フック部
１３ｃ                        切欠き
【図１】
2009162924.tif 000003
【図２】
2009162924.tif 000004
【図３】
2009162924.tif 000005
【図４】
2009162924.tif 000006
【図５】
2009162924.tif 000007
【図６】
2009162924.tif 000008
【図７】
2009162924.tif 000009
【図８】
2009162924.tif 000010
【図９】
2009162924.tif 000011